(57)【要約】【課題】  ズーム倍率の高倍率化と光軸方向のコンパクト化を図る。【解決手段】  カム筒１７は固定筒１７の周りで回転し、カム筒１７の回転により中間筒１３が回転しながら繰り出される。第１レンズ群１８を保持する前筒１１は、固定筒１７に対して中間筒１３の進退と、中間筒１３に対する前筒１１の進退とで結像面から一番離れる位置に繰り出される。第２レンズ枠１２は、中間筒１３のカムにより繰り出される。第４レンズ枠１２〜１５は、第３レンズ枠１４に設けたモータ３５により進退する。第３及び第４レンズ枠１４，１５は、固定筒１７に設けたガイド手段より回転止めされている。第３レンズ枠１４は外周で第２レンズ枠１２の回転止めを行い、また、第２レンズ枠１２は外周で前筒１１の回転止めを行っている。【選択図】        図１
2006220795.tif 000002
【特許請求の範囲】
【請求項１】
被写体側から順に配した第１〜第４レンズ群を各々保持する第１〜第４レンズ保持部材を、固定筒の内部でかつ結像面側に寄せて収納する沈胴位置と固定筒に対して被写体側に向けて繰り出した撮影位置との間で移動自在に設け、前記撮影位置では第２レンズ保持部材を光軸方向に移動して変倍し、かつ合焦時には第４レンズ保持部材を光軸方向に移動するズームレンズ装置において、
第４レンズ保持部材を第３レンズ保持部材と一緒に進退させるとともに、第３レンズ保持部材との間隔が変わるように第４レンズ保持部材を移動する移動手段を、前記第３レンズ保持部材に設けたことを特徴とするズームレンズ装置。
【請求項２】
前記移動手段は、フォーカス用のモータと、前記第４レンズ保持材に設けた雌ネジ部に係合し、前記モータの駆動により回転して第４レンズ保持部材を移動させるネジ軸とで構成されていることを特徴とする請求項１記載のズ−ムレンズ装置。
【請求項３】
前記固定筒の内部に設けられ、前記第３及び第４レンズ保持部材を回転止めした状態で光軸方向に進退自在に支持するガイド手段を備えていることを特徴とする請求項２記載のズームレンズ装置。
【請求項４】
被写体側から順に配した第１ないし第４レンズ群を各々保持する第１ないし第４レンズ保持部材と、
沈胴時に前記第１ないし第４レンズ保持部材を収納する固定筒と、前記固定筒に対して回転のみ自在に支持されるカム筒と、を備え、
前記固定筒の内部に設けたガイド手段により、前記第３及び第４レンズ保持部材を回転止めした状態で光軸方向に進退自在に支持しており、
前記カム筒を回転することで、前記沈胴位置から撮影に使用する撮影位置に向けて前記第１ないし第４レンズ保持部材を各々繰り出すズームレンズ装置において、
前記カム筒と固定筒とに設けたカム機構により、前記カム筒の回転に伴って固定筒に対して回転しながら光軸方向に進退するとともに、前記第１及び第２レンズ保持部材との間の各々のカムに係合することにより、前記第１及び第２レンズ保持部材を光軸方向に各々進退させる中間筒と、
前記カム筒と前記第３レンズ保持部材とに設けられ、前記カム筒の回転に伴って前記第３レンズ保持部材を光軸方向に進退させるカム部材と、
前記第３レンズ保持部材に設けられ、前記第４レンズ保持部材を第３レンズ保持部材と一緒に進退させるとともに、第３レンズ保持部材との間隔が変わるように前記第４レンズ保持部材を移動させる移動手段と、
前記第２レンズ保持部材と第３レンズ保持部材との間に設けられ、前記第３レンズ保持部材の光軸方向への移動を許容し、かつ回転止めを行う第１回転止め手段と、
前記第１レンズ保持部材と第２レンズ保持部材との間に設けられ、前記第１レンズ保持部材の光軸方向への移動を許容し、かつ回転止めを行う第２回転止め手段と、を備えたことを特徴とするズームレンズ装置。
【請求項５】
前記移動手段は、フォーカス用のモータと、前記第４レンズ保持材に設けた雌ネジ部に係合し、前記モータの駆動により回転して第４レンズ保持部材を移動させるネジ軸とで構成されていることを特徴とする請求項４記載のズ−ムレンズ装置。
【発明の詳細な説明】
【技術分野】
【０００１】
本発明は、固定筒の内部に収納する沈胴位置と、被写体側に向けて繰り出した撮影位置との間で４つのレンズ群を光軸方向に移動自在に支持し、撮影位置で第２レンズ群を移動して変倍し、第４レンズ群を移動してピント調節を行うズームレンズ装置に関する。
【背景技術】
【０００２】
従来、被写体側から順に配した第１〜第４レンズ群を各々光軸方向に移動自在に支持し、第２レンズ群を光軸方向に移動することで焦点調節が行われ、第４レンズ群を光軸方向に移動することでピント調節が行われるズームレンズ装置が知られている（特許文献１）。
【０００３】
このズームレンズ装置は、固定筒、カム筒、移動筒、第２〜第４レンズ枠などで構成されている。移動筒には第１レンズ群が固定されている。カム筒は、光軸方向への移動を阻止した状態で固定筒の外周に回転自在に支持されており、回転することで内周に設けた各カムと固定筒に設けた直進ガイドとの協働により、移動筒、第２レンズ枠、及び第３レンズ枠を光軸方向に各々移動させる。
【０００４】
また、固定筒に内部には、複数のガイド棒がＬ字状のブラケットにより光軸方向に平行に取り付けられている。各ガイド棒は、第３ないし第４レンズ枠を、回転止めをした状態で進退自在に支持する。第３レンズ枠は、ガイド棒でガイドされ、中間筒との間に設けたカム機構により光軸方向に進退する。また、固定筒には、光軸方向と平行なリードスクリューと、ブラケットに取り付けたフォーカス用のモータとが設けられている。リードスクリューには、第４レンズ枠に設けた雌ねじ部が係合しており、第４レンズ枠は、リードスクリューにフォーカス用のモータの駆動が伝達されることで光軸方向に移動する。
【０００５】
このようなズームレンズの構成は、第１レンズ群が固定レンズの作用を、第２レンズ群が変倍レンズの作用を、第３レンズ群がリレーレンズの作用を、そして第４レンズ群がフォーカスレンズの作用をなし、変倍時には第２レンズ群だけが移動する。そして、カメラの電源をＯＦＦしたときに、沈胴位置に繰り込む。この沈胴位置では、第３及び第４レンズ群を固定筒の内部で結像面に近づけ、固定筒の先端と第３レンズ群との間の固定筒の内部空間に第１及び第２レンズ群が入り込むように、第１ないし第４レンズ枠を固定筒の内部に収納する。
【０００６】
このため、カム筒に設けた各カムに、移動筒、第２レンズ枠、及び第３レンズ枠を沈胴位置に移動させるための変位を持たせ、また、リードスクリューには、第４レンズ群を各変倍位置に対する合焦位置に移動する長に加えて、第４レンズ群を沈胴位置に移動させる分の長さを持たせている。
【特許文献１】特開２００３−２９５０３１号公報
【発明の開示】
【発明が解決しようとする課題】
【０００７】
しかしながら、第４レンズ群を沈胴位置に移動させるために、リードスクリューが長くなる。しかも、ズーム倍率を高倍率にすると、ピント調節に必要な移動量も長く取る必要がある。このため、沈胴位置でリードスクリューを被い隠す長さの固定筒が必要になり、結果としてカメラボディの厚みが厚くなっていた。
【０００８】
また、ズーム倍率の高倍率化を図るためには、第１レンズ群を結像面からできるだけ離す必要がある。この移動筒の進退は、カム筒に設けたカムと固定筒に設けた直進ガイドとで行われるため、そのカムの光軸方向への変位を大きく、また直進ガイドを光軸方向に長くする必要がある。このように構成すると、カム筒の光軸方向の長さが長くなり、これによりズームレンズ装置の光軸方向でのコンパクト化が阻害されていた。
【課題を解決するための手段】
【０００９】
本発明では、上記事情に鑑み、第１ないし第４レンズ群のうちの第２レンズ群を変倍時に光軸方向に移動し、また第４レンズ群を合焦時に光軸方向に移動するズームレンズ装置において、沈胴位置での光軸方向での長さを短縮することができるズームレンズ装置を提供することを目的とする。
【００１０】
上記目的を達成するために、本発明では、被写体側から順に配した第１〜第４レンズ群を各々保持する第１〜第４レンズ保持部材を、固定筒の内部に収納する沈胴位置と固定筒に対して繰り出した撮影位置との間で移動自在に設け、前記撮影位置では第２レンズ保持部材を光軸方向に移動して変倍し、かつ合焦時には第４レンズ保持部材を光軸方向に移動するズームレンズ装置において、第４レンズ保持部材を第３レンズ保持部材と一緒に進退させるとともに、第３レンズ保持部材との間隔が変わるように第４レンズ保持部材を移動させる移動手段を、前記第３レンズ保持部材に設けたものである。
【００１１】
移動手段としては、フォーカス用のモータと、前記第４レンズ保持材に設けた雌ネジ部に係合し、前記モータの駆動により回転して第４レンズ保持部材を移動させるネジ軸とで構成するのが望ましい。
【００１２】
第３及び第４レンズ保持部材は、固定筒の内部に設けたガイド手段により第４レンズ保持部材を回転止めした状態で光軸方向に進退自在に支持するのが望ましい。
【００１３】
また、別の発明では、前記カム筒と固定筒とに設けたカム機構により、前記カム筒の回転に伴って固定筒に対して回転しながら光軸方向に進退するとともに、前記第１及び第２レンズ保持部材との間の各々のカムに係合することにより、前記第１及び第２レンズ保持部材を光軸方向に各々進退させる中間筒と；前記カム筒と第３レンズ保持枠とに設けられ、前記カム筒の回転に伴って前記第３レンズ保持部材を光軸方向に進退させるカム部材と；前記第３レンズ保持部材に設けられ、前記第４レンズ保持部材を第３レンズ保持部材と一緒に進退させるとともに、第３レンズ保持部材との間隔が変わるように前記第４レンズ保持部材を進退させる移動手段と；前記第２レンズ保持部材と第３レンズ保持部材との間に設けられ、前記第３レンズ保持部材の光軸方向への移動を許容し、かつ回転止めを行う第１回転止め手段と；前記第１レンズ保持部材と第２レンズ保持部材との間に設けられ、前記第１レンズ保持部材の光軸方向への移動を許容し、かつ回転止めを行う第２回転止め手段と；を備えたものである。
【発明の効果】
【００１４】
本発明によれば、第４レンズ保持部材を移動させるフォーカス用の移動手段を、第３レンズ保持部材に設けているため、第３レンズ保持部材と一緒に第４レンズ保持部材を移動させることができる。これにより、ネジ軸の長さのうちの第４レンズ保持部材を沈胴位置に移動させるための長さを省略することができるため、固定筒の光軸方向の長さを短くすることができる。
【００１５】
また、別の発明によれば、中間筒を設けて第１レンズ保持部材の移動距離を長くするとともに、固定筒のガイド手段に回転止めされた第３レンズ保持部材で第２レンズ保持部材の回転止めを、また、第２レンズ保持部材で第１レンズ保持部材の回転止めを行う構成にしたため、第１レンズ保持部材の移動距離を長くしてズーム倍率の高倍率化を図りながら、カム筒の光軸方向の長さを短くすることができる。
【発明を実施するための最良の形態】
【００１６】
本発明の一実施例であるズームレンズ装置１０は、図１に示すように、前筒１１、第２レンズ枠１２、中間筒１３、第３レンズ枠１４、第４レンズ枠１５、カム筒１６、及び、固定筒１７とで構成される。前筒１１には第１レンズ群１８が、また第２レンズ枠１２には第２レンズ群１９が、さらに第３レンズ枠１４には第３レンズ群２０が、そして第４レンズ枠１５には第４レンズ群２１がそれぞれ保持されている。また、第３レンズ枠２０には、第２レンズ群１９と第３レンズ群２０との間でシャッタ羽根を開閉する絞り兼用のシャッタユニット２２が組み込まれている。なお、前筒１１が第１レンズ保持部材を、第２ないし第４レンズ枠１２〜１５が第２ないし第４レンズ保持部材をそれぞれ構成する。
【００１７】
固定筒１７は、筒部２３とその筒部２３の基端部に固定される基板２４とで構成され、カメラボディの輪郭内に取り付けられる。このレンズ装置１０は、電子カメラに組み込まれる。基板２４のうちの撮影光軸（以下、「光軸」と称す）１０ａの軸線上には、撮像素子２５が取り付けられている。
【００１８】
レンズ装置１０は、電子カメラの電源をＯＦＦにする操作に同期して、筒部２３の外周でカム筒１６が逆転して、図２に示す沈胴位置の状態となる。沈胴位置では、前筒１１、第２レンズ枠１２、中間筒１３、第３レンズ枠１４、第４レンズ枠１５、及びカム筒１６の全てが固定筒１７の内部、すなわちカメラボディの輪郭内に収納される。電源をＯＮすると、カム筒１６が正転して、沈胴位置の状態から、図３に示すテレ位置の状態を通って図４に示すワイド位置の状態になる。
【００１９】
ズームボタンの操作により、ワイド位置とテレ位置との間の何れかの変倍位置で撮影が行われる。電子カメラは、シャッタボタンの全押し操作に同期してシャッタユニット２２を駆動する。第１〜第４レンズ群１８〜２１を透過する被写体光は撮像素子２５の受光面に結像し、撮像素子２５は結像した被写体像に対応する画像信号を生成する。第１〜第４レンズ群１８〜２１は、図５に示すように、被写体側から順に並んで配されており、このうちの第２レンズ群１９を光軸１０ａの方向に移動して変倍を行い、各変倍位置で第４レンズ群２１を光軸１０ａの方向に移動してピント調節を行う。第１レンズ群１８は、固定筒１７に対する中間筒１３の移動量と、中間筒１３に対する前筒１１の移動量とを合成した移動量となるので、残りの３つのレンズ群１９〜２１よりもカム筒１６の回転に対する光軸方向の移動量が最も大きくなる。
【００２０】
固定筒１７は、筒部２３の内部で、第３及び第４レンズ枠１４，１５を、回転止めをしながら光軸１０ａの方向に移動自在に支持している。基板２４には、図６に示すように、２本のガイド棒２７，２８が取り付けられている。各ガイド棒２７，２８は、一端が基板２４に、他端が、基板２４から光軸１０ａの方向に延びて取り付けられるＬ字状の支持板２９，３０に支持され、光軸１０ａを中心とする周方向のうちの異なる位置で、かつ光軸１０ａと平行に各々固定されている。第３及び第４レンズ枠１４，１５には、各ガイド棒２７，２８に係合する軸受部３１，３２、及び回転止め用のフォーク部３３，３４とがそれぞれ設けられている。なお、ガイド棒２７，２８がガイド手段を構成する。
【００２１】
また、第３レンズ枠１４には、外周にフォーカス用のモータ３５が固定されている。このモータ３５の出力軸は第３レンズ枠１４から結像面に向けて延びたネジ軸３６となっており、このネジ軸３６は第４レンズ枠１５に設けた雌ネジ部３７に係合している。モータ３５は、駆動することで第４レンズ枠１５を第３レンズ枠１４に対して光軸１０ａの方向に移動させる。ネジ軸３６は、第３レンズ群１４に接近する接近位置とこれから離反する離反位置との間で第４レンズ群を１５移動させる分の長さ、すなわち各変倍位置でのピント調節に必要な移動量に応じた長さとなっている。このネジ軸３６が第４レンズ枠１５の雌ネジ部３７に係合しているので、第４レンズ枠１５は、第３レンズ枠１４と一緒に移動する。このため、従来技術で説明したように、フォーカス用のモータを固定筒に設けたものと比べて、ネジ軸３６のうちの第４レンズ枠１５を沈胴位置から撮影位置まで移動させる分の長さを省くことができ、よってレンズ装置１０の光軸１０ａの方向の長さを短くすることができる。なお、モータ３５，ネジ軸３６、及び雌ネジ部３７が移動手段を構成する。そして、移動手段としては、これら構成に限らず、例えばリニアで駆動する移動手段を用いても良い。
【００２２】
第３レンズ枠１４には、外周に第４カムフォロワー３８と直進ガイドリブ３９〜４１とが突出して設けられている。第４カムフォロワー３８は、光軸１０ａを中心とする周方向の１位置に突出している。直進ガイドリブ３９〜４１は、前記周方向のうちの３位置に、光軸１０ａの方向に延びている。
【００２３】
第２レンズ枠１２には、図７に示すように、内周の３位置にガイド溝４２〜４４が形成されている。これらガイド溝４２〜４４には、前記直進ガイドリブ３９〜４１が各々係合する。これにより、第３レンズ枠１４は、第２レンズ枠１２を、回転止めをしながら光軸１０ａの方向に移動自在に支持する。なお、ガイド溝４２〜４４、及び直進ガイドリブ３９〜４１が第１回転止め手段を構成する。これらガイド手段としては、凹凸を逆にした構成にしてもよい。
【００２４】
第２レンズ枠１２には、前端外周の３位置に直進ガイド突起４５〜４７が、また、後端の３位置には第２カムフォロワー４８〜５０が設けられている。３つの直進ガイド突起４５〜４７は、図８に示すように、前筒１１の内周に設けた直進ガイド溝５１〜５３に各々係合し、第２レンズ枠１２は前筒１１を、回転止めをしながら光軸１０ａの方向に移動自在に支持する。前筒１１は、被写体側に第１レンズ群１８を保持しており、開放側を結像面に向けた断面コ字状となっている。第２レンズ枠１２は、前筒１１のうちの結像面側から内部に入り込む。前筒１１の内部には、第１レンズ群１８の後に第２レンズ枠１２の移動用のスペースが設けられている。なお、直進ガイド突起４５〜４７、及び直進ガイド溝５１〜５３が第２回転止め手段を構成する。これらガイド手段としては、凹凸を逆にした構成としてもよい。
【００２５】
３つの第２カムフォロワー４８〜５０は、前筒１１に設けた切り欠き５４〜５６を通って、中間筒１３の内周に設けた３つの第２カム溝５７〜５９に各々係合する。また、前筒１１の外周の３位置に設けた第１カムフォロワー６０〜６２は、中間筒１３の内周に３つ設けた第１カム溝６３〜６５に係合する。中間筒１３は、図９に示すように、前筒１１の外周で回転して第１カム溝６３〜６５のうちの光軸１０ａの方向への変位に応じて、前筒１１を被写体側に繰り出す位置と内部に繰り込む位置との間で移動させるとともに、第２カム溝５７〜５９のうちの光軸１０ａの方向への変位に応じて第２レンズ枠１２を前筒１１に接近させる位置とこれから離反する位置との間で移動させる。
【００２６】
中間筒１３の外周には、図１０に示すように、固定筒１７を構成する筒部２３が配され、筒部２３の外周にはカム筒１６が回転自在に配される。中間筒１３には、外周の３位置に第３カムフォロワー６６〜６８が設けられており、３つの第３カムフォロワー６６〜６８は、筒部２３の外周の３位置に設けた第３カム開口６９〜７１を通って、カム筒１６の内周の３位置に設けた直線溝７２〜７４に各々係合している。また、第３レンズ枠１４に設けた第４カムフォロアー３８は、中間筒１３の後端、及び筒部２３の切り欠き部７５を通って、カム筒１６の内周に設けた第４カム溝７６に係合する。なお、これら第４カムフォロアー３８と第４カム溝７６とがカム部材を構成する。また、第３カムフォロワー６６〜６８、第３カム開口６９〜７１、及び直線溝７２〜７４とがカム機構を構成する。
【００２７】
カム筒１６は、筒部２３の前端に設けた鍔７７と基板２４との間で光軸１０ａの方向に動かないように挟まれており、外周に設けたギヤ部７９に変倍用のモータの駆動が入力されることで回転する。カム筒１６が回転すると、第３カム開口６９〜７１と直進溝７２〜７４との協働により中間筒１３が光軸１０ａの方向に移動し、かつ第３レンズ枠１４もガイド棒２７，２８で回転止めされているため、第４カム溝７６の光軸１０ａ方向への変位に応じて移動する。
【００２８】
第３カム開口６９〜７１は、図１１に示すように、直進溝７２〜７４との協働により第３カムフォロワー６６〜６８、すなわち中間筒１３を光軸方向に移動するためのカム面６９ａ〜７１ａを有している。これらカム面６９ａ〜７１ａは、沈胴位置からテレ位置に至までの間で中間筒１３を繰り出し、テレ位置とワイド位置との間では、中間筒１３を光軸１０ａの方向に移動させない形状となっている。なお、切り欠き部７５には、第４カムフォロワー３８が挿通される。
【００２９】
第４カム溝７６は、図１２に示すように、第４カムフォロワー３８、すなわち第３レンズ枠１４を光軸１０ａの方向に移動するためのカム面７６ａを有している。このカム面７６ａは、沈胴位置からテレ位置に至までの間で第３レンズ枠１４を繰り出し、テレ位置とワイド位置との間ではそのまま繰り出し位置に保つように第３レンズ枠１４を光軸１０ａの方向に移動させない形状となっている。なお、３つの直進溝７２〜７４は、第３カムフォロワー６６〜６８の光軸１０ａの方向への移動を許容するために、光軸１０ａの方向に延ばして形成されており、かつ、第４カム溝７６を作るために、光軸１０ａを中心とする周方向の不等分位置に形成されている。
【００３０】
３つの第１カム溝６３〜６５は、図１３に示すように、３つの第１カムフォロワー６０〜６２、すなわち前筒１１を光軸１０ａの方向に移動するためのカム面６３ａ〜６５ａを有している。これらカム面６３ａ〜６５ａは、沈胴位置からテレ位置に至までの間で前筒１１を繰り出し、テレ位置とワイド位置との間ではそのままの繰り出し位置に保つように前筒１１を光軸１０ａの方向に移動させない形状となっている。
【００３１】
また、第２カム溝５７〜５９は、３つの第２カムフォロワー４８〜５０、すなわち第２レンズ枠１２を光軸１０ａの方向に移動するためのカム面５７ａ〜５９ａを有している。これらカム面５７ａ〜５９ａは、沈胴位置からテレ位置に至までの間で第２レンズ枠１２を中間筒１３に対して繰り込み、また、テレ位置とワイド位置との間では中間筒１３に対して第２レンズ枠１２を光軸１０ａの方向に移動させる形状となっている。
【００３２】
上記構成の作用を簡単に説明する。レンズ装置１０の初期状態は、図２に示すように、固定筒１７の内部に、前筒１１、中間筒１３、第２〜第４レンズ枠１２，１４，１５をそれぞれ収納した沈胴位置の状態となっている。カメラの電源をＯＮすると、変倍用のモータが所定量だけ駆動され、この駆動がギヤ部７９に入力されることでカム筒１６が所定量だけ正転する。カム筒１６が回転すると、直進溝７２〜７４と固定筒１７の第３カム開口６９〜７１との協働により中間筒１３を回転させながら固定筒１７に対して繰り出す。前筒１１は、第２レンズ枠１２により回転止めがなされているため、中間筒１３に回転に応じた第１カム溝６３〜６５の変位により中間筒１３に対して繰り出される。また、第２レンズ枠１２は、第３レンズ枠１４により回転止めがなされているので、中間筒１３の回転に応じた第２カム溝５７〜５９の変位に応じて中間筒１３に対して繰り出される。
【００３３】
また、第３レンズ枠１４は、２本のガイド棒２７，２８により回転止めがなされているため、カム筒１６の回転に応じた第４カム溝７６の変位により固定筒１７の内部で繰り出される。この第３レンズ枠１４には、フォーカス用のモータ３５のネジ軸３６に、第４レンズ枠１５の雌ネジ部３７が係合しているため、第４レンズ枠１５は、第３レンズ枠１４と一緒に繰り出される。そして、沈胴位置からテレ位置に至までの間でフォーカス用のモータ３５が駆動され、第３レンズ枠１４に対して離反した原点位置に第４レンズ枠１５を移動させる。
【００３４】
これにより、カメラの電源をＯＮすると、レンズ装置１０は、テレ位置を通って、図４に示すワイド位置の状態となる。そして、ズームボタンでテレ位置に向けたズーム操作を行うと、カメラは、変倍用のモータを逆転させ、レンズ装置１０がテレ位置の状態となる。第１レンズ群１８は変倍時に移動しない固定レンズ群であり、また、第３レンズ群２０がリレーレンズの作用を、かつ第４レンズ群２１がフォーカスレンズの作用を成すため、ワイド位置とテレ位置との間の変倍時には、変倍レンズの作用をする第２レンズ群１９しか移動することはない。そして、撮影で使用する撮影位置としては、ワイド位置とテレ位置との間のいずれの変倍位置でも使用することができる。
【００３５】
シャッタボタンの半押し操作に応答して測距が行われ、測距から得られる被写体距離の情報に応じてフォーカス用のモータ３５が駆動される。これにより、第４レンズ枠１５が第３レンズ枠１４に接近する位置に移動して、その時点の変倍位置と被写体距離とに応じた合焦位置に第４レンズ群２１がセットされる。そして、第４レンズ枠１５は、半押し操作を止めたとき又は撮像完了後にモータ３５の駆動により原点位置に戻される。
【００３６】
カメラの電源をＯＦＦすると、変倍用のモータが逆転し、カム筒１６が逆転することでレンズ装置１０は沈胴位置の状態になる。そして、テレ位置から沈胴位置に至までの間では、フォーカス用のモータ３５が駆動されて、第４レンズ枠１５が第３レンズ枠１４に接近する位置に移動される。これにより、第１〜第４レンズ群１８〜２１が各々接近した状態で固定筒１７の内部に収納される。
【００３７】
第１レンズ群１８は、固定筒１７に対する中間筒１３の進退と、その中間筒１３の回転に応じた第１カム溝６３〜６５の変位との合成により光軸１０ａの方向に移動し、また、第２レンズ群１９は、前記中間筒１３の進退と、その中間筒の回転に応じた第２カム溝５７〜５９の変位との合成により光軸１０ａの方向に移動する。そして、固定筒１７に設けた第４カム溝７６の変位により第３レンズ群２０を固定筒１７の内部で移動させるように構成し、さらに、第４レンズ群２１を第３レンズ群２０と一緒に移動させるように構成している。そして、フォーカス用のモータ３５の駆動により第４レンズ群２１を第３レンズ群２０に対して光軸１０ａの方向に移動するように構成している。
【００３８】
そして、ガイド棒２７，２８で回転止めした第３レンズ枠２０の外周で第２レンズ枠１２の回転止めを、また、第２レンズ枠１２の外周で前筒１１の回転止めをしている。これにより、ズーム倍率の高倍率化を図るために第１レンズ群１８の移動量を大きくしても、カム筒１６の光軸１０ａの方向に沿う長さを短くすることができ、よって、レンズ装置１０の光軸１０ａの方向でのコンパクト化を図ることができる。
【００３９】
上記実施形態では、電子カメラに適用した例で説明したが、これに限定されるものではなく、ビデオカメラや写真用カメラにも適用することができる。
【図面の簡単な説明】
【００４０】
【図１】本発明のズームレンズ装置の概略を示す分解斜視図である。
【図２】ズームレンズ装置の沈胴状態を示す断面図である。
【図３】ズームレンズ装置のテレ状態を示す断面図である。
【図４】ズームレンズ装置のワイド状態を示す断面図である。
【図５】沈胴位置からテレ位置を通ってワイド位置に進退する第１ないし第４レンズ群の移動軌跡を示すグラフである。
【図６】第３及び第４レンズ枠をガイドするガイド手段の構成の要部を示す分解斜視図である。
【図７】第３レンズ枠が第２レンズ枠を回転止めする構成の要部を示す分解斜視図である。
【図８】第２レンズ枠が前筒を回転止めする構成の要部を示す分解斜視図である。
【図９】前筒、及び第２レンズ枠と中間筒との各カム係合の構成の要部を示す分解斜視図である。
【図１０】中間筒及び第４レンズ枠とカム筒とのカム係合の構成の要部を示す分解斜視図である。
【図１１】固定筒の内面を示す展開図である。
【図１２】カム筒の内面を示す展開図である。
【図１３】中間筒の内面を示す展開図である。
【符号の説明】
【００４１】
１１  前筒
１２  第２レンズ枠
１３  中間筒
１４  第３レンズ枠
１５  第４レンズ枠
１６  カム筒
２７，２８  ガイド棒
３５  フォーカス用モータ
３６  ネジ軸
【図１】
2006220795.tif 000003
【図２】
2006220795.tif 000004
【図３】
2006220795.tif 000005
【図４】
2006220795.tif 000006
【図５】
2006220795.tif 000007
【図６】
2006220795.tif 000008
【図７】
2006220795.tif 000009
【図８】
2006220795.tif 000010
【図９】
2006220795.tif 000011
【図１０】
2006220795.tif 000012
【図１１】
2006220795.tif 000013
【図１２】
2006220795.tif 000014
【図１３】
2006220795.tif 000015